(57)【要約】      （修正有）【課題】信用スコアのグラフ表示をより有効に活用できる技術を提供する。【解決手段】信用スコアのパラメータ表示（ａ）では、信用スコアとパラメータがグラフ１２１のように多角形で表示される。信用スコア表示（ｂ）では、グラフ１２１中の信用スコアのパラメータ値を変更させるユーザ操作が入力され、目標グラフ１２２を表示する。信用スコア表示（ｃ）では、グラフ表示１２１及び目標グラフ１２２の下に、提案行動リスト１２４が表示される。【選択図】図５
2020129230.tif 000002
【特許請求の範囲】
【請求項１】
第１ユーザが利用する情報処理端末に、
情報処理装置にユーザの顔を含む第１コンテンツを送信する処理と、
前記第１コンテンツに基づいて特定された前記ユーザの信用スコアの情報を受信する処理と、
受信した前記信用スコアの情報に基づいて前記第１コンテンツが加工された第２コンテンツを表示する処理と、を実行させる情報処理プログラム。
【請求項２】
前記第２コンテンツは、前記信用スコアに関するグラフが前記第１コンテンツの前記ユーザの顔の近傍に表示されたコンテンツである、請求項１に記載の情報処理プログラム。
【請求項３】
前記第１コンテンツが、前記第１ユーザと、第２ユーザとを含む場合、前記第１コンテンツに基づいて特定された前記第１ユーザと、当該第２ユーザとにそれぞれ対応付けられた信用スコアの情報を受信する処理と、をさらに実行させ、
前記第２コンテンツは、前記第１ユーザと、前記第２ユーザとにそれぞれ対応付けられた信用スコアに関するグラフが、それぞれのユーザの顔の近傍に表示されたコンテンツである、請求項２に記載の情報処理プログラム。
【請求項４】
前記第１コンテンツが、前記第１ユーザを含まない場合に、前記第２コンテンツを表示しない、請求項１から３のいずれか一項に記載の情報処理プログラム。
【請求項５】
前記第１ユーザと、前記第２ユーザとが所定の関係を構築している場合に、前記第２コンテンツを表示する、請求項３に記載の情報処理プログラム。
【請求項６】
前記第１ユーザによる前記第２コンテンツに表示される前記グラフを選択する操作に応答して、前記グラフと対応づけられたユーザのユーザ情報を表示する処理をさらに実行させる、請求項２または３に記載の情報処理プログラム。
【請求項７】
前記ユーザ情報は、前記ユーザから借りることが可能と推定される金額、または、前記ユーザに貸しても回収可能と推定される金額を表示させる処理をさらに実行させる、請求項６に記載の情報処理プログラム。
【請求項８】
前記選択する操作に応答して、前記第１ユーザの信用スコアと選択された前記グラフに対応付けられた前記ユーザの信用スコアとの差分を表示する処理をさらに実行させる、請求項６に記載の情報処理プログラム。
【請求項９】
前記差分を解消するために必要な行動の情報を表示する処理をさらに実行させる、請求項８に記載の情報処理プログラム。
【請求項１０】
前記第２コンテンツは、前記第１コンテンツに写っている前記ユーザの信用スコアの平均値または合計値に基づき前記第１コンテンツの画質を変更したコンテンツである、請求項１から９のいずれか一項に記載の情報処理プログラム。
【請求項１１】
前記第２コンテンツは、前記第１コンテンツに写っている前記ユーザの信用スコアの平均値または合計値に基づき、おすすめのコンテンツを変更して表示したコンテンツである、請求項１から１０のいずれか一項に記載の情報処理プログラム。
【請求項１２】
前記第２コンテンツは、前記第１ユーザの信用スコアに応じて表示される情報量が異なる、請求項１から１１のいずれか一項に記載の情報処理プログラム。
【請求項１３】
前記ユーザが信用スコアの表示可否を設定可能であり、
第２ユーザに関する信用スコアの表示が不可と設定されている場合には、前記第２コンテンツに前記第２ユーザに対応付けられた信用スコアに関するグラフを表示しない、請求項３から１２のいずれか一項に記載の情報処理プログラム。
【請求項１４】
ネットワークを介して接続される情報処理装置にユーザの顔を含む第１コンテンツを送信し、
前記第１コンテンツに基づいて認識された前記ユーザの信用スコアを示す情報を受信し、
受信した前記情報に基づいて前記第１コンテンツが加工された第２コンテンツを表示する制御部を有する、
情報処理端末。
【請求項１５】
情報処理端末が、
ネットワークを介して接続される情報処理装置にユーザの顔を含む第１コンテンツを送信する処理と、
前記第１コンテンツに基づいて認識された前記ユーザの信用スコアを示す情報を受信する処理と、
受信した前記情報に基づいて前記第１コンテンツが加工された第２コンテンツを表示する処理と、
を実行する情報処理方法。
【請求項１６】
情報処理装置が、
ネットワークを介して接続される情報処理端末から、ユーザの顔を含む第１コンテンツを受信する処理と、
前記第１コンテンツに基づいて認識された前記ユーザの信用スコアを示す情報を前記情報処理端末へ送信する処理と、
前記情報に基づいて前記第１コンテンツが加工された第２コンテンツを前記情報処理端末に表示させる処理と、
を実行する情報処理方法。
【請求項１７】
ネットワークを介して接続される情報処理端末から、ユーザの顔を含む第１コンテンツを受信し、
前記第１コンテンツに基づいて認識された前記ユーザの信用スコアを示す情報を前記情報処理端末へ送信し、
前記情報に基づいて前記第１コンテンツが加工された第２コンテンツを前記情報処理端末に表示させる制御部を有する、
情報処理装置。
【請求項１８】
情報処理装置に、
ネットワークを介して接続される情報処理端末から、ユーザの顔を含む第１コンテンツを受信する処理と、
前記第１コンテンツに基づいて認識された前記ユーザの信用スコアを示す情報を前記情報処理端末へ送信する処理と、
前記情報に基づいて前記第１コンテンツが加工された第２コンテンツを前記情報処理端末に表示させる処理と、
を実行させる情報処理プログラム。
【発明の詳細な説明】
【技術分野】
【０００１】
本開示は、情報処理プログラム、情報処理端末、情報処理方法、及び情報処理装置に関する。
【背景技術】
【０００２】
従来、情報処理端末の画面上で、ユーザや店舗などの対象物の信用スコアをグラフ表示して可視化することにより、端末のユーザが信用スコアを視認しやすくする技術が知られている（例えば特許文献１を参照）。
【先行技術文献】
【特許文献】
【０００３】
【特許文献１】特開２００９−２３０２４８号公報
【発明の概要】
【発明が解決しようとする課題】
【０００４】
しかしながら、従来の信用スコアの可視化手法では、ユーザが信用スコアを見たい対象物を画面上で選択する操作が必要であるなど、信用スコアを可視化するための手順に改善の余地がある。
【０００５】
本開示は、信用スコアの可視化手順をより容易にできる技術を提供することを目的とする。
【課題を解決するための手段】
【０００６】
本開示の一実施形態に係る情報処理プログラムは、第１ユーザが利用する情報処理端末に、情報処理装置にユーザの顔を含む第１コンテンツを送信する処理と、前記第１コンテンツに基づいて特定された前記ユーザの信用スコアの情報を受信する処理と、受信した前記信用スコアの情報に基づいて前記第１コンテンツが加工された第２コンテンツを表示する処理と、を実行させる。
【図面の簡単な説明】
【０００７】
【図１】本開示の一実施形態に係る通信システムの構成を示す図である。
【図２】実施形態に係るサーバ、及び端末のハードウェア構成の一例を示す図である。
【図３】実施形態に係るサーバ、及び端末の機能的な構成を示すブロック図の一例を示す図である。
【図４】第１実施形態に係る通信システムの処理のシーケンスの一例を示す図である。
【図５】第１実施形態の第１実施例の行動提案処理における端末の画面遷移の一例を示す図である。
【図６Ａ】信用スコアのグラフ表示の別形態の一例を示す図である。
【図６Ｂ】信用スコアのグラフ表示の別形態の一例を示す図である。
【図６Ｃ】信用スコアのグラフ表示の別形態の一例を示す図である。
【図７】第２実施例の行動提案処理における端末の画面遷移の一例を示す図である。
【図８】第２実施形態に係る通信システムの処理のシーケンスの一例を示す図である。
【図９】第２実施形態の第１実施例の信用スコア表示処理における端末の画面遷移の一例を示す図である。
【発明を実施するための形態】
【０００８】
＜法令遵守＞
本明細書に記載の開示は、実施される場合、本開示を実施する各国の法令を遵守のうえで実施される。また、本明細書に記載の開示は、各国の法令を遵守するために必要な、当業者が成し得る全ての変更、置換、変形、改変、および修正をもって実施される。
【０００９】
本開示に係る利便性を向上できる信用スコアの可視化を実施するための形態について、図面を参照して説明する。
【００１０】
＜システム構成＞
図１は、本開示の一実施形態に係る通信システム１の構成を示す図である。図１に開示されるように、通信システム１では、ネットワーク１３０を介してサーバ１１０Ａ、サーバ１１０Ｂと、端末１２０Ａ、端末１２０Ｂ、端末１２０Ｃとが接続される。
【００１１】
本開示において、サーバ１１０Ａと、サーバ１１０Ｂとをそれぞれ区別する必要がない場合は、サーバ１１０Ａとサーバ１１０Ｂとは、それぞれサーバ１１０と表現されてもよい。
【００１２】
本開示において、端末１２０Ａと、端末１２０Ｂと、端末１２０Ｃとをそれぞれ区別する必要がない場合は、端末１２０Ａと端末１２０Ｂと端末１２０Ｃとは、それぞれ端末１２０（「情報処理端末」の一例。）と表現されてもよい。
【００１３】
本開示において、サーバ１１０と、端末１２０とをそれぞれ区別する必要がない場合は、サーバ１１０と端末１２０とは、それぞれ情報処理装置２００と表現されてもよい。なお、ネットワーク１３０に接続される情報処理装置２００の数は図１の例に限定されない。
【００１４】
サーバ１１０は、ネットワーク１３０を介してユーザが利用する端末１２０に、所定のサービスを提供する。所定のサービスは、限定でなく例として、決済サービス、金融サービス、電子商取引サービス、インスタントメッセンジャー等を用いるメッセージングサービスを代表とするＳＮＳ（Social Networking Service）、楽曲・動画・書籍などのコンテンツ提供サービス等を含む。ユーザが端末１２０を介して所定のサービスを利用することで、サーバ１１０は１以上の端末１２０に所定のサービスを提供することができる。端末１２０は、例えば、ユーザのスマートフォン等の端末であり、サーバ１１０により提供される決済サービス等を用いた割り勘等を行う。
【００１５】
本開示において、決済サービスとは１以上のユーザが金銭または金銭相当物の授受ができるサービスを意味する。限定でなく例として、一次元コード（バーコードなど）、二次元コード（ＱＲコード（登録商標）など）（以下で、一次元コードおよび二次元コードをまとめて「二次元コード等」と総称する。）、近距離無線通信（ＮＦＣ (Near Field Communication)、ＢＬＥ（Bluetooth（登録商標） Low Energy）、Wi-Fi（登録商標）、超音波通信、赤外線通信など）を利用して決済を行うサービスを含む。また、代金の支払いを行うユーザ（支払者）の端末１２０が二次元コード等を読み取ることで決済を行うことを「ユーザ読取型コード決済」または「ＭＰＭ（Merchant Presented Mode）」と表現し、支払いを行うユーザの端末１２０が二次元コード等を表示し、表示された二次元コード等を、代金を請求する店舗側等のユーザ（販売者、請求者）の端末１２０が読み取ることで決済を行うことを「店舗読取型コード決済」または「ＣＰＭ（Consumer Presented Mode）」と表現する。なお、ＭＰＭおよびＣＰＭは、動的であってもよいし、静的であってもよい。
【００１６】
必要に応じて、ユーザＸが利用する端末を端末１２０Ｘと表現し、ユーザＸまたは端末１２０Ｘに対応づけられた、所定のサービスにおけるユーザ情報をユーザ情報Ｘと表現する。なお、ユーザ情報とは、所定のサービスにおいてユーザが利用するアカウントに対応付けられたユーザの情報である。ユーザ情報は、限定でなく例として、ユーザにより入力される、または、所定のサービスにより付与される、ユーザの名前、ユーザのアイコン画像、ユーザの年齢、ユーザの性別、ユーザの住所、ユーザの趣味趣向、ユーザの識別子などのユーザに対応づけられた情報、ユーザに対応付けられた電子バリュー（電子マネー）の残高情報、ユーザに対応付けられたクレジットカード情報（クレジットカード番号など）を含み、これらのいずれか一つまたは、組み合わせであってもよい。
【００１７】
ネットワーク１３０は、２以上の情報処理装置２００を接続する役割を担う。ネットワーク１３０は、端末１２０がサーバ１１０に接続した後、データを送受信することができるように接続経路を提供する通信網を意味する。
【００１８】
ネットワーク１３０のうちの１つまたは複数の部分は、有線ネットワークや無線ネットワークであってもよい。ネットワーク１３０は、限定でなく例として、アドホック・ネットワーク（Ad Hoc Network）、イントラネット、エクストラネット、仮想プライベート・ネットワーク（Virtual Private Network：ＶＰＮ）、ローカル・エリア・ネットワーク（Local Area Network：ＬＡＮ）、ワイヤレスＬＡＮ（Wireless LAN：ＷＬＡＮ）、広域ネットワーク（Wide Area Network：ＷＡＮ）、ワイヤレスＷＡＮ（Wireless WAN：ＷＷＡＮ）、大都市圏ネットワーク（Metropolitan Area Network：ＭＡＮ）、インターネットの一部、公衆交換電話網（Public Switched Telephone Network：ＰＳＴＮ）の一部、携帯電話網、ＩＳＤＮｓ（Integrated Service Digital Networks）、無線ＬＡＮｓ、ＬＴＥ（Long Term Evolution）、ＣＤＭＡ（Code Division Multiple Access）、ブルートゥース（Bluetooth（登録商標））、衛星通信など、または、これらの２つ以上の組合せを含むことができる。ネットワーク１３０は、１つまたは複数のネットワーク１３０を含むことができる。
【００１９】
情報処理装置２００は、本開示に記載される機能および方法を実現できる情報処理装置であればどのような情報処理装置であってもよい。
【００２０】
情報処理装置２００は、限定ではなく例として、スマートフォン、携帯電話（フィーチャーフォン）、コンピュータ（限定でなく例として、デスクトップ、ラップトップ、タブレットなど）、サーバ装置、メディアコンピュータプラットホーム（限定でなく例として、ケーブル、衛星セットトップボックス、デジタルビデオレコーダなど）、ハンドヘルドコンピュータデバイス（限定でなく例として、ＰＤＡ（Personal Digital Assistant）、電子メールクライアントなど）、ウェアラブル端末（限定でなく例として、メガネ型デバイス、時計型デバイスなど）、他種のコンピュータ、またはコミュニケーションプラットホームを含む。
【００２１】
＜ハードウェア構成＞ 
図２を用いて、通信システム１に含まれる情報処理装置２００のハードウェア構成について説明する。図２は、実施形態に係る情報処理装置２００のハードウェア構成の一例を示す図である。
【００２２】
情報処理装置２００は、プロセッサ２０１と、メモリ２０２と、ストレージ２０３と、入出力インタフェース（入出力Ｉ／Ｆ）２０４と、通信インタフェース（通信Ｉ／Ｆ）２０５とを含む。情報処理装置２００のハードウェアの各構成要素は、限定でなく例として、バスＢを介して相互に接続される。
【００２３】
情報処理装置２００は、プロセッサ２０１と、メモリ２０２と、ストレージ２０３と、入出力Ｉ／Ｆ２０４と、通信Ｉ／Ｆ２０５との協働により、本開示に記載される機能、および／または、方法を実現する。
【００２４】
プロセッサ２０１は、ストレージ２０３に記憶されるプログラムに含まれるコードまたは命令によって実現する機能および方法を実行する。プロセッサ２０１は、限定でなく例として、中央処理装置（ＣＰＵ）、ＭＰＵ（Micro Processing Unit）、ＧＰＵ（Graphic s Processing Unit）、マイクロプロセッサ（microprocessor）、プロセッサコア（processor core）、マルチプロセッサ（multiprocessor）、ＡＳＩＣ（Application-Specific Integrated Circuit）、ＦＰＧＡ（Field Programmable Gate Array）等を含み、集積回路（ＩＣ（Integrated Circuit）チップ、ＬＳＩ（Large Scale Integration））等に形成された論理回路（ハードウェア）や専用回路によって各実施形態に開示される各処理を実現してもよい。また、これらの回路は、１または複数の集積回路により実現されてよく、各実施形態に示す複数の処理を１つの集積回路により実現されることとしてもよい。また、ＬＳＩは、集積度の違いにより、ＶＬＳＩ、スーパーＬＳＩ、ウルトラＬＳＩなどと呼称されることもある。
【００２５】
メモリ２０２は、ストレージ２０３からロードしたプログラムを一時的に記憶し、プロセッサ２０１に対して作業領域を提供する。メモリ２０２には、プロセッサ２０１がプログラムを実行している間に生成される各種データも一時的に格納される。メモリ２０２は、限定でなく例として、ＲＡＭ（Random Access Memory）、ＲＯＭ（Read Only Memory）などを含む。
【００２６】
ストレージ２０３は、プログラムを記憶する。ストレージ２０３は、限定でなく例として、ＨＤＤ（Hard Disk Drive）、ＳＳＤ（Solid State Drive）、フラッシュメモリなどを含む。
【００２７】
通信Ｉ／Ｆ２０５は、ネットワーク１３０を介して各種データの送受信を行う。当該通信は、有線、無線のいずれで実行されてもよく、互いの通信が実行できるのであれば、どのような通信プロトコルを用いてもよい。通信Ｉ／Ｆ２０５は、ネットワーク１３０を介して、他の情報処理装置との通信を実行する機能を有する。通信Ｉ／Ｆ２０５は、各種データをプロセッサ２０１からの指示に従って、他の情報処理装置に送信する。また、通信Ｉ／Ｆ２０５は、他の情報処理装置から送信された各種データを受信し、プロセッサ２０１に伝達する。
【００２８】
入出力Ｉ／Ｆ２０４は、情報処理装置２００に対する各種操作を入力する入力装置、および、情報処理装置２００で処理された処理結果を出力する出力装置を含む。入出力Ｉ／Ｆ２０４は、入力装置と出力装置が一体化していてもよいし、入力装置と出力装置とに分離していてもよい。
【００２９】
入力装置は、ユーザからの入力を受け付けて、当該入力に係る情報をプロセッサ２０１に伝達できる全ての種類の装置のいずれか、または、その組み合わせにより実現される。入力装置は、限定でなく例として、タッチパネル、タッチディスプレイ、キーボード等のハードウェアキーや、マウス等のポインティングデバイス、カメラ（画像を介した操作入力）、マイク（音声による操作入力）を含む。
【００３０】
出力装置は、プロセッサ２０１で処理された処理結果を出力することができる全ての種類の装置のいずれか、または、その組み合わせにより実現される。当該処理結果を映像または動画像として出力する場合、出力装置は、フレームバッファに書き込まれた表示データに従って、当該表示データを表示することができる全ての種類の装置のいずれかまたはその組み合わせにより実現される。出力装置は、限定でなく例として、タッチパネル、タッチディスプレイ、モニタ（限定でなく例として、液晶ディスプレイ、ＯＥＬＤ（Organic Electroluminescence Display）など）、ヘッドマウントディスプレイ（ＨＤＭ：Head Mounted Display）、プロジェクションマッピング、ホログラム、空気中など（真空であってもよい）に画像やテキスト情報等を表示可能な装置、スピーカ（音声出力）、プリンターなどを含む。なお、これらの出力装置は、３Ｄで表示データを表示可能であってもよい。
【００３１】
本開示の各実施形態のプログラムは、コンピュータに読み取り可能な記憶媒体に記憶された状態で提供されてもよい。記憶媒体は、「一時的でない有形の媒体」に、プログラムを記憶可能である。プログラムは、限定でなく例として、ソフトウェアプログラムやコンピュータプログラムを含む。
【００３２】
記憶媒体は適切な場合、１つまたは複数の半導体ベースの、または他の集積回路（ＩＣ）（限定でなく例として、フィールド・プログラマブル・ゲート・アレイ（ＦＰＧＡ）、特定用途向けＩＣ（ＡＳＩＣ）など）、ハード・ディスク・ドライブ（ＨＤＤ）、ハイブリッド・ハード・ドライブ（ＨＨＤ）、光ディスク、光ディスクドライブ（ＯＤＤ）、光磁気ディスク、光磁気ドライブ、フロッピィ・ディスケット、フロッピィ・ディスク・ドライブ（ＦＤＤ）、磁気テープ、固体ドライブ（ＳＳＤ）、ＲＡＭドライブ、セキュア・デジタル・カードもしくはドライブ、任意の他の適切な記憶媒体、またはこれらの２つ以上の適切な組合せを含むことができる。記憶媒体は、適切な場合、揮発性、不揮発性、または揮発性と不揮発性の組合せでよい。
【００３３】
また、本開示のプログラムは、当該プログラムを伝送可能な任意の伝送媒体（通信ネットワークや放送波等）を介して、情報処理装置２００に提供されてもよい。
【００３４】
また、本開示の各実施形態は、プログラムが電子的な伝送によって具現化された、搬送波に埋め込まれたデータ信号の形態でも実現され得る。
【００３５】
なお、本開示のプログラムは、限定でなく例として、JavaScript（登録商標）、Pythonなどのスクリプト言語、Ｃ言語、Ｇｏ言語、Swift、Kotlin、Java（登録商標）などを用いて実装される。
【００３６】
情報処理装置２００における処理の少なくとも一部は、１以上のコンピュータにより構成されるクラウドコンピューティングにより実現されていてもよい。
【００３７】
情報処理装置２００における処理の少なくとも一部を、他の情報処理装置により行う構成としてもよい。この場合、プロセッサ２０１により実現される各機能部の処理のうち少なくとも一部の処理を、他の情報処理装置で行う構成としてもよい。
【００３８】
＜その他＞
明示的な言及のない限り、本開示の実施形態における判定の構成は必須でなく、判定条件を満たした場合に所定の処理が動作されたり、判定条件を満たさない場合に所定の処理がされたりしてもよい。
【００３９】
本開示では、明記されていない限り、または文脈によって示されない限り、「AおよびBの少なくとも一方」は、「Ａ、Ｂ、またはその両方」を意味する。さらに、明記されない限り、または文脈によって示されない限り、「ａ」、「ａｎ」、または「ｔｈｅ」は「１つまたは複数」を意味するものとする。したがって、本明細書では、別段に明記されない限り、または文脈によって示されない限り、「ａｎ  Ａ」または「ｔｈｅ  Ａ」は「１つまたは複数のＡ」を意味する。
【００４０】
本開示は、本開示の実施形態および実施例に対して、当業者が成し得る全ての変更、置換、変形、改変、または修正を包含する。また、添付の特許請求の範囲は、本開示の実施形態および実施例に対して、当業者が成し得る全ての変更、置換、変形、改変、または修正を包含する。さらに、本開示は、当業者が成し得る、本開示における実施形態または実施例の１以上の特徴と、本開示における他の実施形態または実施例の１以上の特徴との任意の組合せを包含する。
【００４１】
加えて、特定の機能を実施するように適合される、配置される、能力を有する、構成される、使用可能である、動作可能である、または動作できる装置またはシステムあるいは装置またはシステムの構成要素に対する添付の特許請求の範囲での参照は、その装置、システム、または構成要素がそのように適合される、配置される、能力を有する、構成される、使用可能にされる、動作可能にされる、または動作できる限り、その装置、システム、構成要素またはその特定の機能がアクティベートされ、オンにされ、またはロック解除されているか否かに関わらず、その装置、システム、構成要素を包含する。
【００４２】
本開示は、明示されない限り、いずれの実施形態または実施例を実施するに際して、事前に、または、実施の直前にユーザからの同意を取得してもよい。また、取得する同意は、包括的なものでもよく、都度取得するものでもよい。
【００４３】
＜第１実施形態＞
本開示の第１実施形態は、端末１２０に表示されるユーザの信用スコアの複数のパラメータを示すグラフにおいて、グラフ上の複数のパラメータのうち一のパラメータを選択するユーザの操作に応答して、一のパラメータを変化させる行動を示す情報を表示する実施形態である。なお、本開示において、信用スコアと、信用スコアを構成する個々のパラメータとをそれぞれ区別する必要がない場合は、信用スコアとパラメータとは、それぞれ信用スコアと表現されることがある。
【００４４】
第１実施形態により、端末１２０に表示される信用スコアのグラフを介して、ユーザが自身の信用スコアをどのように変更したいかを容易に入力でき、また、ユーザの入力に応答して、具体的にどのような行動をすれば所望の信用スコアに変更できるかをユーザに容易に明示できるので、信用スコアのグラフ表示をよりインタラクティブに活用できる。
【００４５】
＜第１実施形態の機能構成＞
図３を用いてサーバ１１０および端末１２０の機能構成を説明する。図３は、第１実施形態に係るサーバ１１０、及び端末１２０の機能的な構成を示すブロック図の一例を示す図である。図３に開示の機能部は、情報処理装置２００が備えるプロセッサ２０１と、メモリ２０２と、ストレージ２０３と、入出力Ｉ／Ｆ２０４と、通信Ｉ／Ｆ２０５との協働により実現される。
【００４６】
（１）サーバの機能構成 
サーバ１１０は、受付部３１１と、送受信部３１２と、制御部３１３と、記憶部３１４とを有する。なお、各機能部の機能または処理は、実現可能な範囲において、機械学習またはＡＩ（Ａｒｔｉｆｉｃｉａｌ  Ｉｎｔｅｌｌｉｇｅｎｃｅ）により実現されてもよい。
【００４７】
受付部３１１は、サーバ１１０により提供される各種のサービスを運営する事業者からの各種の設定操作等を受け付ける。
【００４８】
送受信部３１２は、制御部３１３の指示に従い、端末１２０とのデータの送受信を行う。なお、送受信部３１２は、例えば、端末１２０等からのログイン要求に含まれるユーザＩＤ、及びパスワードにより端末１２０等のユーザが認証された際、端末１２０等とのＨＴＴＰＳ等を用いた通信用のセッションを接続する。そして、接続した通信用のセッションのＩＤに対応付けて、端末１２０等の通信用のアドレス、及びユーザＩＤ等を記憶しておく。そして、接続した通信用のセッションを用いて、端末１２０等にデータを送信する。
【００４９】
制御部３１３は、決済サービス、電子クーポン配信サービス、金融サービス、及び電子商取引サービス等のサービスを、端末１２０のユーザに提供する処理を行う。特に本実施形態では、端末１２０に対して信用スコアや提案行動の特定と送信を行う。制御部３１３は、端末１２０の表示画面を制御する情報を、送受信部３１２に送信させる。
【００５０】
記憶部３１４は、端末１２０のユーザに関する信用スコア等の各種情報を記憶する。
【００５１】
（２）端末の機能構成 
端末１２０は、受付部３２１と、送受信部３２２と、制御部３２３と、記憶部３２４とを有する。なお、各機能部の機能または処理は、実現可能な範囲において、機械学習またはＡＩ（Ａｒｔｉｆｉｃｉａｌ  Ｉｎｔｅｌｌｉｇｅｎｃｅ）により実現されてもよい。
【００５２】
受付部３２１は、端末１２０のユーザからの各種の操作等を受け付ける。
【００５３】
送受信部３２２は、制御部３２３の指示に従い、サーバ１１０等とのデータの送受信を行う。なお、送受信部３２２は、例えば、サーバ１１０にログインした際、サーバ１１０とのＨＴＴＰＳ等を用いた通信用のセッションを接続する。そして、接続した通信用のセッションのＩＤに対応付けて、サーバ１１０の通信用のアドレス等を記憶しておく。そして、接続した通信用のセッションを用いて、サーバ１１０にデータを送信する。
【００５４】
制御部３２３は、サーバ１１０により提供される決済サービス、金融サービス、及び電子商取引サービス等の各種のサービスを利用する処理を行う。特に本実施形態では、サーバ１１０から受信した信用スコアを用いたグラフ表示や、提案行動の表示を行う。制御部３２３は、サーバ１１０から受信した情報等に基づいて、端末１２０の表示画面を制御する。
【００５５】
記憶部３２４は、サーバ１１０により提供される決済サービス等の各種サービスを利用するための情報を記憶する。
【００５６】
＜第１実施形態の処理＞
図４を参照して、第１実施形態に係る通信システム１の処理について説明する。図４は、第１実施形態に係る通信システム１の処理のシーケンスの一例を示す図である。なお、端末１２０は、サーバ１１０との通信を行う際、ユーザのアカウントを用いてサーバ１１０の認証を受けているものとする。
【００５７】
ステップＳ１において、端末１２０の制御部３２３が送受信部３２２を介して、信用スコアを取得する旨のリクエストをサーバ１１０に送信する。このリクエスト情報には、例えば端末１２０のユーザを特定するユーザＩＤなどの情報が含まれる。
【００５８】
ステップＳ２において、サーバ１１０の制御部３１３は、端末１２０からのリクエストに応答して、端末１２０のユーザに関する信用スコアとパラメータを特定する。制御部３１３は、例えばステップＳ１にて受信したユーザＩＤの情報を用いて、記憶部３１４に保存されているデータベースからユーザＩＤと紐づけられている信用スコアとパラメータとを抽出する。
【００５９】
ステップＳ３では、サーバ１１０の制御部３１３は、送受信部３１２を介してステップＳ２にて特定した信用スコアの情報を端末１２０に送信する。
【００６０】
ステップＳ４では、端末１２０の制御部３２３が、受信した信用スコアの情報を用いて、端末１２０のユーザの信用スコアとパラメータとを示すグラフ１２１（第１グラフ）を表示画面１２７に表示する（図５参照）。なお、本ステップのグラフ１２１の表示態様については図５、図７を参照して後述する。
【００６１】
ステップＳ５では、端末１２０の受付部３２１が、グラフ１２１中のパラメータのうち一のパラメータを選択するユーザ操作を受け付ける。ステップＳ６では、このユーザ操作に応答して、制御部３２３が、ステップＳ４のグラフ１２１とは異なる目標グラフ１２２、１２５を作成して表示画面１２７に表示する（図５、図７参照）。なお、本ステップの目標グラフ１２２，１２５の態様については図５、図７を参照して後述する。
【００６２】
ステップＳ７では、端末１２０の制御部３２３が、ステップＳ４のグラフ１２１と、ステップＳ６の目標グラフ１２２、１２５との差分に関する情報を、送受信部３２２を介してサーバ１１０に送信する。差分に関する情報とは、ステップＳ５にてユーザが選択した信用スコアのパラメータと、ステップＳ４のグラフ１２１の当該信用スコアのパラメータ値と、ステップＳ６の目標グラフ１２２、１２５の当該信用スコアのパラメータ値とを含む。
【００６３】
ステップＳ８では、サーバ１１０の制御部３１３が、ステップＳ７にて受信した差分情報に基づいて、差分解消に必要な行動を特定する。本ステップでは、制御部３１３は、例えば差分情報を受信する毎に、端末１２０のユーザの特性や差分情報（パラメータ、現在値、目標値）などの情報に基づき、当該ユーザに適した提案行動を算出する。または、サーバ１１０は、差分情報と提案行動とを関連付けたデータベースを記憶部３１４に保存しており、ステップＳ７にて受信した差分情報に基づいてデータベースを参照して提案行動を抽出する構成でもよい。または、本ステップの処理は機械学習またはＡＩにより実現されてもよい。
【００６４】
ステップＳ９では、制御部３１３が、送受信部３１２を介してステップＳ８にて特定した提案行動の情報を端末１２０に送信する。
【００６５】
ステップＳ１０では、端末１２０の制御部３２３が、受信した提案行動情報を用いて行動リスト１２４を作成して表示画面１２７に表示する。
【００６６】
なお、ステップＳ９のサーバ１１０が提案行動を端末１２０に送信する処理は、例えばステップＳ３にてサーバ１１０が信用スコアの情報を端末１２０に送信する際に、差分情報と提案行動とを関連付けた情報も併せて端末１２０に送信するなど、他のタイミングであってもよい。
【００６７】
以下で、第１実施形態における処理の一例について説明する。以下の各実施例の処理は、他の実施例の処理と組み合わせて実行させることもできる。
【００６８】
＜＜第１実施例＞＞
第１実施例は、端末１２０の表示画面１２７に表示されるグラフ１２１中の１または複数の信用スコアのパラメータの値を変更させる（向上または低下させる）ユーザの操作に応答して、端末１２０にこの信用スコアのパラメータの値を変化させる（向上または低下させる）行動を示す情報を表示する実施例である。第１実施例により、ユーザは自身の信用スコアのグラフ１２１表示を所望の値に変化させるという直感的な操作を行うだけで、その変化を実現できる行動の情報を容易に取得することができる。
【００６９】
＜＜第１実施例の処理＞＞    
図５は、第１実施例の行動提案処理における端末１２０の画面遷移の一例を示す図である。第１実施例では、図４のステップＳ４の処理において、図５（ａ）に示すように、信用スコアが表示され、当該信用スコアは複数の信用スコアのパラメータで構成され、信用スコアとパラメータとがグラフ１２１のように多角形で表示される。図５の例では、信用スコアのパラメータが５種類の場合の例であり、信用スコアに関する五角形のグラフ１２１が表示されている。また、図５の例では、各信用スコアが０〜３の四段階で設定され、隣接する各信用スコア同士が線分で結ばれることにより端末１２０のユーザの信用スコアが五角形のグラフ１２１で表示画面１２７に表示されている。図５の例では、ユーザのグラフ１２１は、パラメータＡ、Ｂ、Ｃのスコアがそれぞれ２に設定され、パラメータＤ、Ｅのスコアがそれぞれ１に設定されている。
【００７０】
また、第１実施例では、図４のステップＳ５の処理において、図５（ｂ）に示すように、グラフ１２１中の１または複数の信用スコアのパラメータ値を変更させるユーザの操作が入力され、これにより図４のステップＳ６の処理において、グラフ１２１と異なる五角形状の目標グラフ１２２が作成されて端末１２０の表示画面１２７に表示される。図５の例では、例えば、ユーザの指のスワイプ操作１２３によって、パラメータＤのスコアが１から３に増加されている。つまり第１実施例では、目標グラフ１２２は、グラフ１２１を部分的に変更して作成されるユーザ自身の信用スコアに基づくグラフである。
【００７１】
また、第１実施例では、図４のステップＳ７の処理において、グラフ１２１からスコアが変更されたパラメータ（図５（ｂ）ではパラメータＤ）が、ユーザが選択した信用スコアのパラメータであり、このパラメータの変更前後のスコアが差分情報としてサーバ１１０に送信される。
【００７２】
そして、図４のステップＳ１０の処理において、図５（ｃ）に示すように、端末１２０に表示されているグラフ１２１及び目標グラフ１２２の下方の表示領域に、サーバ１１０から受信した提案行動のリスト１２４が表示画面１２７に表示される。図５の例では、入力されたユーザ操作がグラフ１２１の信用スコアを増やす方向の操作なので、グラフ１２１の信用スコアのパラメータ値を目標グラフ１２２の値まで増やす行動を行動リスト１２４に含めることができる。さらに、この場合、グラフ１２１の信用スコアを減らす行動、つまり目標グラフ１２２から反対側に遠ざかる行動、を行わないように注意喚起する構成を追加することもできる。
【００７３】
なお、行動リスト１２４は、ユーザが実行するのが容易な順番で表示されるのが好ましい。これにより信用スコアをユーザの所望の値に変更する行動の負担を軽減でき、信用スコアの変更をより容易にできる。
【００７４】
また、図５（ｂ）では、１つの信用スコアを変更する操作を例示したが、２以上の複数の信用スコアのパラメータを変更してもよい。より具体的には、例えばユーザは信用スコアのパラメータＡとパラメータＤとを同時に操作することができる。この場合、図５（ｃ）にて表示される行動リスト１２４は、２以上の信用スコアのパラメータのそれぞれを変化させる行動を、ユーザが実行するのが容易な順番で混在させて作成するのが好ましい。これにより、選択された信用スコアが２以上の場合でも、信用スコアをユーザの所望の値に変更する作業の負担を軽減できる。
【００７５】
ここで、信用スコアのパラメータごとの指標や提案行動の例を表１に示す。なお、下記の表１に示すパラメータ等の内容はあくまで一例であって、必ずしも当該パラメータを使って実施するものではない。
【００７６】
【表１】
2020129230.tif 000003
【００７７】
なお、上記の表１において、「パラメータ」とは、信用スコアを構成する構成要素の１つであり、図５のパラメータＡ〜Ｅの例である。「指標」とは、パラメータの値を決定する判断基準である。「信用スコアを増やす行動」は、図５の例では行動リスト１２４に表示される提案行動である。「信用スコアを減らす行動」は、図５の例では、上述のとおり、ユーザが行わないように注意喚起すべく行動リスト１２４に表示可能な注意喚起行動である。なお、図５の例とは異なり、ユーザがパラメータの値を減らす操作を行った場合には、この操作に適した提案行動は「信用スコアを減らす行動」に置き換わり、この操作に適さない注意喚起行動は「信用スコアを増やす行動」に置き換わる。
【００７８】
また、上記の表１のパラメータの項目のうち「ロイヤリティ（ｌｏｙａｌｔｙ）」とは、忠実性または忠誠度のことで、特定の商品をくり返し指名購入するブランド・ロイヤリティや、特定の店舗を固定客として愛顧するストア・ロイヤリティを含む。
【００７９】
なお、第１実施例では、ユーザの信用スコアに関する五角形のグラフ１２１を表示する構成を例示したが、信用スコアのパラメータ数が５個以外の場合には、パラメータ数に応じた多角形状（例えば、六角形や四角形など）のグラフを表示する構成でもよい。また、グラフは、ユーザの信用スコアを変更させる操作を入力可能であればよく、グラフの表示態様は多角形状以外でもよい。例えば、縦棒グラフ、横棒グラフ、円グラフ、折れ線グラフ、メータ形式、またはこれらの組合せでもよい。
【００８０】
図６Ａ〜図６Ｃは、信用スコアのグラフ表示の別形態の一例を示す図である。円グラフの場合、例えば図６Ａのグラフ１２１Ａのように、パラメータごとに扇型状に領域を区分する構成が挙げられる。図６Ａに示すグラフ１２１Ａの場合、例えばパラメータＡとＢの境界近傍をスワイプ操作１２３することによって、図６Ａの（ａ）から（ｂ）の状態へパラメータＡの領域を増やすことができる。同様に、図６Ｂのグラフ１２１Ｂのように、パラメータごとに別の円グラフを表示して、スコアに応じて個々の円グラフの面積を変更する構成も挙げられる。図６Ｂに示すグラフ１２１Ｂの場合、例えばパラメータＡの円グラフの外縁近傍をスワイプ操作１２３することによって、図６Ｂの（ａ）から（ｂ）の状態へパラメータＡの円グラフの面積を増やすことができる。また、図６Ｃのグラフ１２１Ｃのように、帯グラフを用いて各パラメータの構成比を表示する構成でもよい。図６Ｃに示すグラフ１２１Ｃの場合、例えばパラメータＡとＢの境界近傍をスワイプ操作１２３することによって、図６Ｃの（ａ）から（ｂ）の状態へパラメータＡの領域を増やすことができる。
【００８１】
なお、図４のステップＳ１０の処理において、端末１２０に表示される提案行動は、同一パラメータが選択された場合でも、例えば信用スコアを１から２へ増加させる場合よりも、２から３、または、１から３へ増加させる場合のほうの難度を上げるなど、スコアの変化量に応じて提案行動の難易度を変更してもよい。同様に、パラメータの値を向上させる（低下させる）操作の操作距離が長いほど、当該操作されたパラメータの値を向上させる（低下させる）行動の情報を多く提案行動として表示したり、当該操作されたパラメータの値を向上させる行動の情報のうち、難易度の高い行動を提案行動として表示してもよい。
【００８２】
＜＜第２実施例＞＞
第２実施例は、端末１２０のユーザとは異なる別ユーザの信用スコアを示す目標グラフ１２５（第２グラフ）がグラフ１２１と重畳して表示され、グラフ１２１と目標グラフ１２５との間で差分がある１または複数のパラメータを選択する操作に応答して、端末１２０に選択した信用スコアを変化させる行動を示す情報を表示する実施例である。第２実施例により、他人の信用スコアを比較対象とするので、ユーザ本人に自分の信用スコアの不足部分を客観的に示すことができ、ユーザにとってより有効な提案行動の提供が可能となり、ユーザの利便性を向上できる。
【００８３】
＜＜第２実施例の処理＞＞    
図７は、第２実施例の行動提案処理における端末１２０の画面遷移の一例を示す図である。第２実施例では、図４のステップＳ４の処理において、第１実施例の図５（ａ）と同様に、図７（ａ）に示すように、端末１２０のユーザの信用スコアに関する五角形のグラフ１２１が表示されている。
【００８４】
第２実施例では、図４のステップＳ５の処理において、ユーザが信用スコアの比較対象とした別ユーザを指定する操作が入力される。これにより図４のステップＳ６において、ステップＳ５にて指定された別ユーザの信用スコアに関する五角形の目標グラフ１２５が、ユーザのグラフ１２１に重畳して表示される。つまり第２実施例では、目標グラフ１２５は、ユーザ自身のものではなく別ユーザの信用スコアに関するグラフである。
【００８５】
図７の例では、目標グラフ１２５は、パラメータＡ、Ｂ、Ｃのスコアがグラフ１２１と同じくそれぞれ２に設定され、パラメータＤのスコアが３、パラメータＥのスコアが２に設定されている。また、図７の例では、ユーザの信用スコアの各パラメータが、別ユーザの信用スコアの各パラメータ以下の場合であるので、目標グラフ１２５に対してユーザのグラフ１２１の少ない部分が視認しやすいように、目標グラフ１２５がグラフ１２１の背面側に表示されている。なお、グラフ１２１と目標グラフ１２５の表示態様は、グラフ１２１と目標グラフ１２５との差分が視認可能であればどのようなものであってもよい。例えば、透過したグラフ１２１を目標グラフ１２５に重畳するように表示してもよいし、透過した目標グラフ１２５をグラフ１２１に重畳するように表示してもよい。
【００８６】
また、第２実施例では、図４のステップＳ７の処理において、図７（ｂ）に示すように、例えばユーザの指のタップ操作１２６によって、目標グラフ１２５の差分を解消したいパラメータが選択されると、選択されたパラメータにおけるユーザのパラメータの値と、目標グラフ１２５の他ユーザのパラメータの値などの情報が差分情報としてサーバ１１０に送信される。図７の例では、ユーザの信用スコアのパラメータＤの値が１であり、他ユーザの信用スコアのパラメータＤの値が３であるパラメータＤがタップ操作１２６によって選択されている。つまり第２実施例では、タップ操作１２６が、「グラフ１２１中の１または複数のパラメータを変更させるべく入力されるユーザの操作」となる。
【００８７】
そして、図４のステップＳ１０の処理において、図７（ｃ）に示すように、端末１２０に表示されているグラフ１２１及び目標グラフ１２５の下方の表示領域に、サーバ１１０から受信した提案行動のリスト１２４が表示される。
【００８８】
なお図７（ｂ）では、タップ操作１２６により１つの信用スコアを選択する構成を例示したが、複数個所でタップ操作を行って２以上の複数の信用スコアを選択してもよい。
【００８９】
＜第２実施形態＞
本開示の第２実施形態は、端末１２０からサーバ１１０に送信するコンテンツに写っているユーザの信用スコアを特定し、特定した信用スコアに基づいてコンテンツを加工して端末１２０に表示する実施形態である。なお、本開示において、信用スコアと、信用スコアを構成する個々のパラメータとをそれぞれ区別する必要がない場合は、信用スコアとパラメータとは、それぞれ信用スコアと表現されることがある。なお、本開示において、コンテンツは、動画および静止画の少なくとも一方を含み、「画像情報」とも表現できる。
【００９０】
第２実施形態により、ユーザの顔が写っているコンテンツをサーバ１１０に送信するだけで当該ユーザの信用スコアを容易に取得でき、また、取得した信用スコアに基づき自動的にコンテンツを加工して信用スコアを可視化して表示できるので、信用スコアの可視化手順をより容易にできる、という効果が得られる。
【００９１】
第２実施形態のサーバ１１０及び端末１２０の機能構成は、図３を参照して説明した第１実施形態の構成と同様であるので、説明を省略する。
【００９２】
＜第２実施形態の処理＞
図８を参照して、第２実施形態に係る通信システム１の処理について説明する。図８は、第２実施形態に係る通信システム１の処理のシーケンスの一例を示す図である。なお、図８では、端末１２０Ａが、端末１２０Ｂを利用するユーザＢが写っているコンテンツを用いてサーバ１１０からユーザＢの信用スコアを取得して、得られたユーザＢの信用スコアに基づく加工後コンテンツを表示する例を説明する。
【００９３】
ステップＳ１１において、サーバ１１０の送受信部２１３が端末１２０ＢからユーザＢの顔を含むコンテンツ情報を受信し、ステップＳ１２において、サーバ１１０の制御部３１３は、受信した顔を含むコンテンツ情報からユーザＢの顔特徴量を抽出し、ユーザＢのユーザＩＤと顔特徴量を、ユーザＢの信用スコアと紐づけて記憶部３１４に記憶する。
【００９４】
ステップＳ１３において、端末１２０ＡからユーザＢの顔が含まれるコンテンツ１３１（図９参照）（第１コンテンツ）の情報がサーバ１１０に送信される。なお、本ステップで送信されるコンテンツ１３１は、端末１２０Ａで撮影された過去のコンテンツを用いてもよいし、端末１２０Ａにてリアルタイムで撮影されているコンテンツを用いてもよいし、ネットワーク１３０等を介して取得された、端末１２０ＡのユーザＡ以外により撮影されたコンテンツを用いてもよい。
【００９５】
ステップＳ１４では、サーバ１１０の制御部３１３が、受信したコンテンツ１３１の顔認証を行って、コンテンツ１３１に写っているユーザ（ユーザＢ）の顔特徴量を算出し、算出した顔特徴量に基づき記憶部３１４からユーザＢのユーザＩＤと信用スコアの情報を特定する。なお、ステップＳ１４の処理は機械学習またはＡＩにより実現されてもよい。また、顔特徴量の算出は、端末１２０Ａで行われ、顔特徴量のみが端末１２０からサーバ１１０に送信されてもよい。
【００９６】
ステップＳ１５では、サーバ１１０の送受信部３１２が、ステップＳ１４にて特定されたユーザＢの信用スコアとユーザＩＤの情報を端末１２０Ａに送信する。
【００９７】
ステップＳ１６において、端末１２０Ａの制御部３２３は、ステップＳ１５にて受信したユーザＢの信用スコアに基づいて、ステップＳ１３のコンテンツ１３１を加工し、ステップＳ１７にてコンテンツ１３１が加工された加工後コンテンツ１３２（第２コンテンツ）を表示画面１２７に表示する。なお、ステップＳ１６はサーバ１１０にて実施されてもよい。より具体的には、サーバ１１０の制御部３２３が、受信したコンテンツ１３１を加工し、ステップＳ１５でサーバ１１０の送受信部３１２が、ステップＳ１４にて特定されたユーザＢの信用スコアとユーザＩＤの情報と、加工後コンテンツ１３２とを端末１２０Ａに送信してもよい（不図示）。
【００９８】
以下で、第２実施形態における処理の一例について説明する。以下の各実施例の処理は、他の実施例の処理と組み合わせて実行させることもできる。
【００９９】
＜＜第１実施例＞＞
第１実施例は、端末１２０Ａに表示される加工後コンテンツ１３２において、信用スコアに関するグラフ１３３Ａ、１３３Ｂが、コンテンツ１３１中のユーザＡ、Ｂの顔の周囲に追加表示される実施例である。第１実施例により、端末１２０のユーザは信用スコアを知りたいユーザが写っているコンテンツ１３１をサーバ１１０に送信するだけで、加工後コンテンツ１３２にて信用スコアに関するグラフ表示を得ることができるので、信用スコアのグラフ表示をより簡便にでき、また、グラフ表示によってユーザが信用スコアをより直観的に把握しやすくできる。
【０１００】
＜＜第１実施例の処理＞＞    
図９は、第１実施例の信用スコア表示処理における端末１２０Ａの画面遷移の一例を示す図である。第１実施例では、図８のステップＳ１３の処理において、図９（ａ）に示すように、ユーザＢが含まれるコンテンツ１３１の情報をサーバ１１０に送信する。なお図９の例では、ユーザＢに加えて端末１２０ＡのユーザＡもコンテンツ１３１に写っている。このため、図８のステップＳ１４、Ｓ１５では、ユーザＢの信用スコアに加えて、ユーザＡの信用スコアの情報も特定されて端末１２０Ａに送信される。なお、コンテンツ１３１にユーザＡが写っていない（図８のステップＳ１４でユーザＡを特定できない）場合には以降の処理を行わなくてもよい。これにより、悪意あるユーザが面識のない第三者ユーザの写真を無断で使用して信用スコアを閲覧する可能性を軽減することができる。
【０１０１】
また、第１実施例では、図８のステップＳ１７の処理において、図９（ｂ）に示すように、ステップＳ１３のコンテンツ１３１のユーザＡ、Ｂの顔の周囲（図９では顔の上方）に、ステップＳ１５にて受信した信用スコアのグラフ（図９では帯グラフ１３３Ａ，１３３Ｂ）が追加表示された加工後コンテンツ１３２が表示される。帯グラフ１３３Ａ，１３３Ｂは、例えば長手方向に沿って複数の領域ａ、ｂ、ｃに区分されており、各領域ａ、ｂ、ｃの面積は割り当てられる信用スコアの各パラメータの値によって変更される。また、帯グラフ１３３Ａ，１３３Ｂの近傍に信用スコアの全パラメータの合計値ｄを表示してもよい。なお、加工後コンテンツ１３２に表示される信用スコアに係るグラフの種類は帯グラフ以外でもよく、例えば、多角形状グラフ、縦棒グラフ、横棒グラフ、円グラフ、折れ線グラフ、メータ形式、またはこれらの組合せでもよい。
【０１０２】
さらに、第１実施例では、図９（ｂ）に示すように、加工後コンテンツ１３２に表示されている帯グラフ１３３Ａ，１３３Ｂのいずれかにタップ操作１３４がされると、図９（ｃ）に示すように、タップされたグラフのユーザに関する追加情報がポップアップ表示１３５などで追加表示される構成でもよい。図９の例では、ユーザＢの帯グラフ１３３Ｂへのタップ操作１３４に応答して、ユーザＢの情報を表示するポップアップウィンドウ１３５が表示されている。これにより、信用スコアのグラフ表示に加えて追加情報も提供できるので、信用スコアのグラフ表示の利便性を向上できる。
【０１０３】
ポップアップウィンドウ１３５に表示されるユーザ情報としては、例えば、タップ操作により選択されたユーザ（図９ではユーザＢ）から借りることが可能と推定される金額、または、そのユーザに貸しても回収可能と推定される金額などの情報が挙げられる。この場合、端末１２０の制御部３２３は、ユーザＢの信用スコアのうち資産などの金銭に関するパラメータや、債務履行の履歴の情報等を参考にして金額を設定できる。
【０１０４】
また、ポップアップウィンドウ１３５に表示されるユーザ情報としては、ユーザの年齢や連絡先などの個人情報を含めることもできる。さらに、各ユーザの信用スコアに応じて当該ユーザに関する情報を変更して表示する構成でもよい。例えば、コンテンツ１３１を送信したユーザの信用スコアが所定値以上であれば、コンテンツ１３１に表示されるユーザに関する情報を、所定値以下の場合と比べて多く設定してもよい。また、コンテンツ１３１に表示されるユーザのうち信用スコアが相対的に低いユーザのユーザ情報は、電話番号やメールアドレスなどの連絡先の情報を増やして表示することで、代金の未回収時に連絡を取りやすいようにできる。
【０１０５】
また第１実施例では、加工後コンテンツ１３２上でのタップ操作１３４に応答して、タップ操作により選択されたユーザ（図９ではユーザＢ）の加工後コンテンツ１３２中の顔部分が加工処理される処理をさらに実行させてもよい。例えば、ユーザＢの信用スコアが相対的に高い場合には、顔画像を見栄え良くなるようにコンテンツ処理を施し、信用スコアが相対的に低い場合には、顔画像を粗くしたり、非表示したりするなどのコンテンツ処理を施すことができる。
【０１０６】
また第１実施例では、加工後コンテンツ１３２上でのタップ操作１３４に応答して、タップ操作により選択されたユーザ（図９ではユーザＢ）の信用スコアと端末１２０ＡのユーザＡの信用スコアとの差分を表示する処理をさらに実行させてもよい。さらに、図５（ｃ）を参照して説明したように、ユーザＡの信用スコアとユーザＢの信用スコアとの差分を解消するために必要な行動の情報を表示する処理を実行させてもよい。これにより、端末１２０ＡのユーザＡは、他のユーザＢとの信用スコアとの相違点を視覚的にわかりやすく、かつ直感的に把握することができ、また、その差分を解消するために必要な行動の情報も提供されるので、信用スコアのグラフ表示をより有効に活用できる。
【０１０７】
なお、各ユーザが自分の信用スコアの表示可否をサーバ１１０にて設定可能としてもよい。この場合、例えばユーザＢに関する信用スコアの表示が不可と設定されている場合には、ユーザＢの信用スコアのグラフ１３３Ｂを加工後コンテンツ１３２に表示する処理を実行しない。これによりユーザ本人が望まない情報流出を防止できる。
【０１０８】
また、信用スコアの表示可否はユーザの親密度に応じて決定されるようにしてもよい。より具体的には、例えば、ユーザ同士がＳＮＳ上で所定の関係を設定している場合にのみ信用スコアを表示できるようにしてもよい。
【０１０９】
所定の関係とは、サーバ１１０が、２以上のユーザ間の所定の関係を記憶していることを含む。限定でなく例として、所定の関係は、相互に関係構築を承認した関係、少なくとも一方が関係構築を申し入れた関係、ユーザ情報に基づき構築された関係、ユーザ行動に基づき構築された関係、所定の条件が満たされたことにより関係構築がなされた状態を含んでもよい。なお、ユーザ情報に基づき構築された関係とは、１以上の同一または類似するユーザ情報を有するユーザ同士を関係づけた関係を含んでもよいし、ユーザ行動に基づき構築された関係とは、１以上の同一または類似するユーザ行動を有するユーザ同士を関係づけた関係を含んでもよい。
【０１１０】
また、ユーザと所定の関係にあるユーザは、限定ではなく例として、ユーザと所定の関係にある全てのユーザでもよいし、予め定められた所定の人数のユーザであってもよいし、親密度が所定の度合い以上のユーザであってもよい。
【０１１１】
ここで、親密度とは、所定の期間内（１か月間や２か月間などの予め固定された期間でもよいし、所定の関係を構築してから現在までの期間でもよい）においてユーザとの間で送受信したメッセージの送受信量が多い順に親密度が高くなるように決定される度合いであってもよい。また、所定の期間内においてユーザ間で行われた取引（商品の売買や、資産の送受信・両替等などを含む）の回数が多い順に親密度が高くなるように決定される度合いでもよい。
【０１１２】
また、親密度とは、所定の関係が構築されてから現在までの期間の長さが長いほど親密度が高くなるように決定される度合いであってもよい。所定の関係を構築してから現在までの期間の長さは、絶対値であってもよいし、ユーザと所定の関係にある１以上のユーザの中での相対値であってもよい。
【０１１３】
また、親密度とは、ユーザと所定の関係にある複数の他のユーザについて、他のユーザがユーザの位置から所定の範囲内にいる時間の長さが長いほど、親密度が高くなるように決定される度合いであってもよい。また、親密度とは、ユーザと所定の関係にある複数のユーザについて、所定の関係が構築されてから現在までの期間と、各ユーザの位置情報とに基づいて推定される関係性（例えば家族関係にあると推定される等）が高いほど親密度が高くなるように決定される度合いであってもよい。
【０１１４】
また、親密度とは、ユーザと所定の関係にある複数の他のユーザについて、ユーザと共通のユーザの数（共通の友達の人数）が多いほど親密度が高くなるように決定される度合いであってもよい。
【０１１５】
また、親密度とは、ユーザとコミュニケーションをとっているユーザと所定の関係を構築しているユーザのうち、ユーザ自身と所定の関係にあるユーザの数が多いほど親密度が高くなるように決定される度合いであってもよい。
【０１１６】
また、親密度とは、ユーザ自身の属性と、ユーザと所定の関係にある複数のユーザの各々の属性との間における類似度が高いほど親密度が高くなるように決定される度合いであってもよい。ユーザの属性とは、限定ではなく例として、興味または関心であってもよい。
【０１１７】
＜＜第２実施例＞＞
第２実施例は、信用スコアに基づきコンテンツ１３１内のユーザの顔部分を加工処理して加工後コンテンツ１３２が作成される実施例である。第２実施例により、信用スコアのグラフ表示が無くても、コンテンツ内のユーザの顔コンテンツの加工度合をみれば相対的な信用スコアの大小関係は大まかに把握できるので、ユーザが信用スコアをより直観的に把握しやすくできる。
【０１１８】
＜＜第２実施例の処理＞＞    
第２実施例では、図８のステップＳ１６の処理において、ステップＳ１３にて受信した信用スコアに基づいて、コンテンツ１３１内の各ユーザの顔画像を加工処理する。例えば、ユーザの信用スコアが相対的に高い場合には、顔画像を見栄え良くなるようにコンテンツ処理を施し、信用スコアが相対的に低い場合には、顔画像を粗くしたり、削除するなどのコンテンツ処理を施すことができる。
【０１１９】
＜＜第３実施例＞＞
第３実施例は、コンテンツ１３１に写っているユーザの信用スコアの平均値または合計値に基づきコンテンツ１３１の画質を変更して加工後コンテンツ１３２が作成される実施例である。第３実施例により、信用スコアのグラフ表示が無くても、加工後コンテンツ１３２の画質をみればコンテンツ内のユーザの信用スコアの規模を大まかに把握できるので、ユーザが信用スコアをより直観的に把握しやすくできる。
【０１２０】
＜＜第３実施例の処理＞＞    
第３実施例では、図８のステップＳ１６の処理において、ステップＳ１３にて受信した各ユーザの信用スコアの平均値または合計値を算出し、算出した値に基づいてコンテンツ１３１の画質を変更する。例えば、信用スコアの平均値または合計値が相対的に高い場合には、加工後コンテンツ１３２の画質を向上させるコンテンツ処理を施し、相対的に低い場合には、加工後コンテンツ１３２の画質を低下させるコンテンツ処理を施すことができる。
【０１２１】
＜＜第４実施例＞＞
第４実施例は、コンテンツ１３１に写っているユーザの信用スコアの平均値または合計値に基づき、加工後コンテンツ１３２に表示するおすすめのコンテンツを変更する実施例である。第４実施例により、コンテンツ１３１に写っているユーザの信用レベルに応じて適切な情報を提供できるので、ユーザの利便性を向上できる。
【０１２２】
＜＜第４実施例の処理＞＞    
第４実施例では、図８のステップＳ１６の処理において、ステップＳ１３にて受信した各ユーザの信用スコアの平均値または合計値を算出し、算出した値に基づいてコンテンツ１３１に追加するおすすめコンテンツ（例えばレストラン）の情報を選択し、選択した情報を追加して加工後コンテンツ１３２を作成する。例えば、信用スコアが高いユーザには高級レストランの情報を選択し、信用スコアが低いユーザの場合には安価なレストランの情報に変更する。
【０１２３】
以上の説明に関し、更に以下の項を開示する。
（付記１）
ユーザが利用する情報処理端末に、
前記ユーザの信用スコアと当該信用スコアに含まれる複数のパラメータを示す第１グラフを表示するステップと、
前記ユーザの、前記複数のパラメータのうち１のパラメータの値を向上させる操作に応答して、当該操作されたパラメータの値を向上させる行動の情報を表示するステップと、を実行させる情報処理プログラム。
（付記２）
前記ユーザの、前記複数のパラメータのうち２以上のパラメータの値を向上させる操作に応答して、当該操作された２以上のパラメータの値を向上させる行動の情報を表示するステップを、さらに実行させる、付記１に記載の情報処理プログラム。
（付記３）
前記向上させる操作の操作距離が長いほど、当該操作されたパラメータの値を向上させる行動の情報を多く表示する、付記１または２に記載の情報処理プログラム。
（付記４）
前記向上させる操作の操作距離が長いほど、当該操作されたパラメータの値を向上させる行動の情報のうち、難易度の高い行動を表示する、付記１または２に記載の情報処理プログラム。
（付記５）
前記行動の情報は、実行容易な順でリスト表示される、付記１から４のいずれか一項に記載の情報処理プログラム。
（付記６）
前記ユーザの、前記複数のパラメータのうち１のパラメータの値を低下させる操作に応答して、当該操作されたパラメータの値を低下させる行動の情報を表示するステップをさらに含む、付記１から５のいずれか一項に記載の情報処理プログラム。
（付記７）
前記低下させる操作の操作距離が長いほど、当該操作されたパラメータの値を低下させる行動の情報を多く表示する、付記６に記載の情報処理プログラム。
（付記８）
前記ユーザとは異なる他のユーザの信用スコアと当該信用スコアに含まれる複数のパラメータを示す第２グラフを、前記第１グラフとともに表示するステップを、さらに実行させる、付記１から７のいずれか一項に記載の情報処理プログラム。
（付記９）
前記第１グラフと前記第２グラフとは重畳して表示される、付記８に記載の情報処理プログラム。
（付記１０）
前記第１グラフと前記第２グラフとのうち同一タイプのパラメータの差分表示領域を選択する操作に応答して、当該パラメータの値の差分を解消するための行動の情報を表示するステップ、をさらに実行させる、付記８または９に記載の情報処理プログラム。
（付記１１）
ユーザが利用する情報処理端末であって、
前記ユーザの信用スコアと当該信用スコアに含まれる複数のパラメータを示す第１グラフを表示し、
前記ユーザの、前記複数のパラメータのうち１のパラメータの値を向上させる操作に応答して、当該操作されたパラメータの値を向上させる行動の情報を表示する制御部を有する、情報処理端末。
（付記１２）
ユーザが利用する情報処理端末が、
前記ユーザの信用スコアと当該信用スコアに含まれる複数のパラメータを示す第１グラフを表示するステップと、
前記ユーザの、前記複数のパラメータのうち１のパラメータの値を向上させる操作に応答して、当該操作されたパラメータの値を向上させる行動の情報を表示するステップと、
を実行する情報処理方法。
（付記１３）
情報処理装置が、
情報処理端末のユーザの信用スコアと当該信用スコアに含まれる複数のパラメータを示す第１グラフを前記情報処理端末に表示させるステップと、
前記ユーザの、前記複数のパラメータのうち１のパラメータの値を向上させる操作に応答して、当該操作されたパラメータの値を向上させる行動の情報を前記情報処理端末に表示させるステップと、
を実行する情報処理方法。
（付記１４）
情報処理端末のユーザの信用スコアと当該信用スコアに含まれる複数のパラメータを示す第１グラフを前記情報処理端末に表示させ、
前記ユーザの、前記複数のパラメータのうち１のパラメータの値を向上させる操作に応答して、当該操作されたパラメータの値を向上させる行動の情報を前記情報処理端末に表示させる制御部を備える情報処理装置。
（付記１５）
情報処理装置に、
情報処理端末のユーザの信用スコアと当該信用スコアに含まれる複数のパラメータを示す第１グラフを前記情報処理端末に表示させるステップと、
前記ユーザの、前記複数のパラメータのうち１のパラメータの値を向上させる操作に応答して、当該操作されたパラメータの値を向上させる行動の情報を前記情報処理端末に表示させるステップと、
を実行させる情報処理プログラム。
（付記１６）
第１ユーザが利用する情報処理端末に、
情報処理装置にユーザの顔を含む第１コンテンツを送信する処理と、
前記第１コンテンツに基づいて特定された前記ユーザの信用スコアの情報を受信する処理と、
受信した前記信用スコアの情報に基づいて前記第１コンテンツが加工された第２コンテンツを表示する処理と、を実行させる情報処理プログラム。
（付記１７）
前記第２コンテンツは、前記信用スコアに関するグラフが前記第１コンテンツの前記ユーザの顔の近傍に表示されたコンテンツである、付記１６に記載の情報処理プログラム。
（付記１８）
前記第１コンテンツが、前記第１ユーザと、第２ユーザとを含む場合、前記第１コンテンツに基づいて特定された前記第１ユーザと、当該第２ユーザとにそれぞれ対応付けられた信用スコアの情報を受信する処理と、をさらに実行させ、
前記第２コンテンツは、前記第１ユーザと、前記第２ユーザとにそれぞれ対応付けられた信用スコアに関するグラフが、それぞれのユーザの顔の近傍に表示されたコンテンツである、付記１７に記載の情報処理プログラム。
（付記１９）
前記第１コンテンツが、前記第１ユーザを含まない場合に、前記第２コンテンツを表示しない、付記１６から１８のいずれか一項に記載の情報処理プログラム。
（付記２０）
前記第１ユーザと、前記第２ユーザとが所定の関係を構築している場合に、前記第２コンテンツを表示する、付記１８に記載の情報処理プログラム。
（付記２１）
前記第１ユーザによる前記第２コンテンツに表示される前記グラフを選択する操作に応答して、前記グラフと対応づけられたユーザのユーザ情報を表示する処理をさらに実行させる、付記１６から２０のいずれか一項に記載の情報処理プログラム。
（付記２２）
前記ユーザ情報は、前記ユーザから借りることが可能と推定される金額、または、前記ユーザに貸しても回収可能と推定される金額を表示させる処理をさらに実行させる、付記２１に記載の情報処理プログラム。
（付記２３）
前記選択する操作に応答して、前記第１ユーザの信用スコアと選択された前記グラフに対応付けられた前記ユーザの信用スコアとの差分を表示する処理をさらに実行させる、付記２１に記載の情報処理プログラム。
（付記２４）
前記差分を解消するために必要な行動の情報を表示する処理をさらに実行させる、付記２３に記載の情報処理プログラム。
（付記２５）
前記第２コンテンツは、前記第１コンテンツに写っている前記ユーザの信用スコアの平均値または合計値に基づき前記第１コンテンツの画質を変更したコンテンツである、付記１６から２４のいずれか一項に記載の情報処理プログラム。
（付記２６）
前記第２コンテンツは、前記第１コンテンツに写っている前記ユーザの信用スコアの平均値または合計値に基づき、おすすめのコンテンツを変更して表示したコンテンツである、付記１６から２５のいずれか一項に記載の情報処理プログラム。
（付記２７）
前記第２コンテンツは、前記第１ユーザの信用スコアに応じて表示される情報量が異なる、付記１６から２６のいずれか一項に記載の情報処理プログラム。
（付記２８）
前記ユーザが信用スコアの表示可否を設定可能であり、
第２ユーザに関する信用スコアの表示が不可と設定されている場合には、前記第２コンテンツに前記第２ユーザに対応付けられた信用スコアに関するグラフを表示しない、付記１８から２７のいずれか一項に記載の情報処理プログラム。
（付記２９）
ネットワークを介して接続される情報処理装置にユーザの顔を含む第１コンテンツを送信し、
前記第１コンテンツに基づいて認識された前記ユーザの信用スコアを示す情報を受信し、
受信した前記情報に基づいて前記第１コンテンツが加工された第２コンテンツを表示する制御部を有する、
情報処理端末。
（付記３０）
情報処理端末が、
ネットワークを介して接続される情報処理装置にユーザの顔を含む第１コンテンツを送信する処理と、
前記第１コンテンツに基づいて認識された前記ユーザの信用スコアを示す情報を受信する処理と、
受信した前記情報に基づいて前記第１コンテンツが加工された第２コンテンツを表示する処理と、
を実行する情報処理方法。
（付記３１）
情報処理装置が、
ネットワークを介して接続される情報処理端末から、ユーザの顔を含む第１コンテンツを受信する処理と、
前記第１コンテンツに基づいて認識された前記ユーザの信用スコアを示す情報を前記情報処理端末へ送信する処理と、
前記情報に基づいて前記第１コンテンツが加工された第２コンテンツを前記情報処理端末に表示させる処理と、
を実行する情報処理方法。
（付記３２）
ネットワークを介して接続される情報処理端末から、ユーザの顔を含む第１コンテンツを受信し、
前記第１コンテンツに基づいて認識された前記ユーザの信用スコアを示す情報を前記情報処理端末へ送信し、
前記情報に基づいて前記第１コンテンツが加工された第２コンテンツを前記情報処理端末に表示させる制御部を有する、
情報処理装置。
（付記３３）
情報処理装置に、
ネットワークを介して接続される情報処理端末から、ユーザの顔を含む第１コンテンツを受信する処理と、
前記第１コンテンツに基づいて認識された前記ユーザの信用スコアを示す情報を前記情報処理端末へ送信する処理と、
前記情報に基づいて前記第１コンテンツが加工された第２コンテンツを前記情報処理端末に表示させる処理と、
を実行させる情報処理プログラム。
【符号の説明】
【０１２４】
１  通信システム
１１０  サーバ（情報処理装置）
３１１  受付部
３１２  送受信部
３１３  制御部
３１４  記憶部
１２０  端末（情報処理端末）
３２１  受付部
３２２  送受信部
３２３  制御部
３２４  記憶部
１２１  グラフ
１２２、１２５  目標グラフ
１２４  行動リスト
１３１  コンテンツ（第１コンテンツ）
１３２  加工後コンテンツ（第２コンテンツ）
【図１】
2020129230.tif 000004
【図２】
2020129230.tif 000005
【図３】
2020129230.tif 000006
【図４】
2020129230.tif 000007
【図５】
2020129230.tif 000008
【図６Ａ】
2020129230.tif 000009
【図６Ｂ】
2020129230.tif 000010
【図６Ｃ】
2020129230.tif 000011
【図７】
2020129230.tif 000012
【図８】
2020129230.tif 000013
【図９】
2020129230.tif 000014